(57)【要約】【課題】新たな興趣を奏する遊技機を提供する。【解決手段】遊技者による操作に基づいて、遊技機内に形成された遊技領域に遊技球を放出する放出手段と、上記遊技領域に配置され、上記遊技球を複数の流路のうちのいずれかに振り分ける振分装置と、を備える遊技機である。この遊技機は、上記放出手段により上記遊技領域に放出された遊技球が、最初に上記振分装置に進入するように構成されている。【選択図】図１
2018192132.tif 000002
【特許請求の範囲】
【請求項１】
遊技機であって、
遊技者による操作に基づいて、遊技機内に形成された遊技領域に遊技球を放出する放出手段と、
前記遊技領域に配置され、前記遊技球を複数の流路のうちのいずれかに振り分ける振分装置と、を備え、
当該遊技機は、前記放出手段により前記遊技領域に放出された遊技球が、最初に前記振分装置に進入するように構成されている、遊技機。
【請求項２】
請求項１に記載の遊技機であって、
前記振分装置は、当該振分装置に進入した遊技球を、所定の割合で、或いは、所定の条件を満たしたか否かに基づいて、複数の流路のいずれかに振り分けるように構成されている、遊技機。
【請求項３】
請求項２に記載の遊技機であって、
前記振分装置の有する複数の流路の１つは、該振分装置に進入した前記遊技球を該振分装置の内部において入賞装置に入賞させることが可能に構成された流路である、遊技機。
【請求項４】
請求項２に記載の遊技機であって、
前記振分装置の有する複数の流路の１つは、該振分装置に進入した前記遊技球を該振分装置の内部において前記遊技領域から排出させることが可能に構成された流路である、遊技機。
【請求項５】
請求項１から請求項４のいずれか１項に記載の遊技機であって、
前記振分装置は、前記遊技領域の左右中央であり、かつ、該遊技領域における上部側の範囲に配置される、遊技機。
【請求項６】
請求項１から請求項５のいずれか１項に記載の遊技機であって、
前記振分装置は、前記遊技球を、前記遊技領域における左側の範囲に送るための流路と、前記遊技領域における右側の範囲に送るための流路と、を備える、遊技機。
【請求項７】
請求項１から請求項５のいずれか１項に記載の遊技機であって、
前記振分装置を通過した前記遊技球を、前記遊技領域における左側の範囲と、前記遊技領域における右側の範囲と、に送る流路を備える、遊技機。
【発明の詳細な説明】
【技術分野】
【０００１】
本発明は、遊技機に関する。
【背景技術】
【０００２】
従来、例えば特許文献１に示されるように、遊技領域に打ち込まれて流下する遊技球を受け入れ、その流下方向を第１方向と第２方向とで振り分け、この振り分けに伴い遊技球の流出先を異ならせる機能を有する振分装置を備える遊技機が知られている。
【先行技術文献】
【特許文献】
【０００３】
【特許文献１】特開２０１３−７０７０３号公報
【発明の概要】
【発明が解決しようとする課題】
【０００４】
上述した特許文献１に記載の遊技機は、振分装置が流路の中段に配置されているため、遊技者の注目を受けにくいという問題があった。よって振分装置により振り分けがなされても、それ自体が遊技の興趣として十分に遊技者に提供されていなかった。
【０００５】
本発明は、新たな興趣を奏する遊技機を提供する。
【課題を解決するための手段】
【０００６】
本発明の１つの態様は、遊技機であって、遊技者による操作に基づいて、遊技機内に形成された遊技領域に遊技球を放出する放出手段と、上記遊技領域に配置され、上記遊技球を複数の流路のうちのいずれかに振り分ける振分装置と、を備え、当該遊技機は、上記放出手段により上記遊技領域に放出された遊技球が、最初に上記振分装置に進入するように構成されている、遊技機である。
【０００７】
このような遊技機であれば、遊技領域に放出された遊技球は、まず振分装置に入ることとなる。そのため、遊技者は振分装置による振り分けの結果に注目することとなり、遊技者に対して振分装置による興趣を十分に与えることができる。
【０００８】
なお、上述した振分装置とは、当該振分装置に進入した遊技球を、所定の割合で、或いは、所定の条件を満たしたか否かに基づいて、複数の流路のいずれかに振り分けるように構成されていてもよい。
【０００９】
このような遊技機であれば、遊技者に対して振り分けの結果に期待感を持たせることができ、振り分けの実行による興趣を向上させることができる。
また上述した振分装置の有する複数の流路の１つは、該振分装置に進入した上記遊技球を上記振分装置の内部において入賞装置に入賞させることが可能に構成された流路であってもよい。
【００１０】
このように構成された遊技機は、振分装置に進入した遊技球が所定の流路に振り分けられたときに、その遊技球を入賞させることができる。ここでいう入賞とは、賞球が得られるものでもよいし、何らかの抽選が実行されるものでもよい。また、例えば大当たり遊技時に大入賞装置として機能してもよい。
【００１１】
また上述した振分装置の有する複数の流路の１つは、該振分装置に進入した上記遊技球を上記振分装置の内部において上記遊技領域から排出させることが可能に構成された流路であってもよい。
【００１２】
このように構成された遊技機は、振分装置に進入した遊技球が所定の流路に振り分けられたときにそのまま遊技領域から排出される。よって、遊技領域に戻る遊技球の数を制限でき、戻った遊技球への遊技者の注目を集中させることができる。
【００１３】
また上述した遊技機において、振分装置は、上記遊技領域の左右中央であり、かつ、該遊技領域における上部側の範囲に配置されていてもよい。
このように構成されていれば、振分装置が遊技者の目につきやすく、遊技者に与える振り分けによる興趣を向上させることができる。
【００１４】
また上述した遊技機において、振分装置は、上記遊技球を、上記遊技領域における左側の範囲に送るための流路と、上記遊技領域における右側の範囲に送るための流路と、を備えていてもよい。
【００１５】
このような遊技機であれば、振分装置によって遊技球を遊技領域の左右に振り分けることで、遊技領域の広い範囲において遊技を実行させることができる。
また上述した遊技機は、上記振分装置を通過した上記遊技球を、上記遊技領域における左側の範囲と、上記遊技領域における右側の範囲と、に送る流路を備えていてもよい。
【００１６】
このような遊技機であれば、振分装置から排出された遊技球を遊技領域の左右に振り分けることで、遊技領域の広い範囲において遊技を実行させることができる。
【図面の簡単な説明】
【００１７】
【図１】パチンコ機の構成を示す正面図である。
【図２】振分装置の構造を示す斜視図である。
【図３】振分装置の構造を示す斜視図である。
【発明を実施するための形態】
【００１８】
以下、図面を参照しながら、発明を実施するための形態を説明する。
［１．実施形態］
［１−１．全体構成］
図１は、本発明に係る遊技機の一例としてパチンコ機１０１の実施の一形態を示した外観図である。
【００１９】
弾球遊技機の一種であるパチンコ機１０１の前面部には、上から順に盤面窓枠１０２、皿扉１０３、下部ユニット１０４が配されている。皿扉１０３には演出ボタン１０３ａが配されており、下部ユニット１０４にはハンドル１０４ａや灰皿１０４ｂが取り付けられている。
【００２０】
また、盤面窓枠１０２には窓１０７が設けられ、その周辺に電飾１０８が配されている。また、盤面窓枠１０２には、窓１０７を閉塞するためのガラス板１０７ａが窓１０７の背後に装着される。盤面窓枠１０２の背後の窓１０７に臨んだ位置には、中枠に保持された遊技盤１０９が配されている。遊技盤１０９とガラス板１０７ａの間に遊技領域１１０が形成される。この遊技領域１１０は、遊技球が流下する領域であって、パチンコ機１０１内に形成される。
【００２１】
遊技盤１０９には、ガイドレール１１１、振分装置１０、入賞装置１１２、及び複数の役物（風車１３１、クルーン１３６、回転障害物１３８など）が設けられている。
遊技者がハンドル１０４ａを回すと、発射装置１０４ｃにより、ハンドル１０４ａの回転量に対応した速度で遊技球が発射される。ハンドル１０４ａ及び発射装置１０４ｃが、本発明の放出手段に相当する。
【００２２】
発射された遊技球はガイドレール１１１に沿って上昇し、遊技領域１１０における上方の領域に移動する。遊技球は、遊技領域１１０の上方側に設けられた複数のブロック１２１に接触し、振分装置１０の開口１１に流入する。但し、発射速度が小さく、最も左側に位置するブロック１２１ａに接触した遊技球、及び、ガイドレール１１１を離れてすぐに落下した遊技球に限り、アウト口１２２に落下し、遊技領域１１０（遊技盤１０９）から排出される。
【００２３】
振分装置１０の開口１１から振分装置１０の内部に入った遊技球は、左排出口３５Ｌ，右排出口３５Ｒのいずれか一方から振分装置１０の外部に排出される。左排出口３５Ｌから排出された遊技球は、左レール３６Ｌに乗って左に進み、遊技領域１１０における左側の範囲に送られる。また、右排出口３５Ｒから排出された遊技球は、右レール３６Ｒに乗って右に進み、遊技領域１１０における右側の範囲に送られる。すなわち、左排出口３５Ｌは、遊技球を上述した左側の範囲に送るための流路であり、右排出口３５Ｒは、遊技球を上述した右側の範囲に送るための流路である。また、左レール３６Ｌが、遊技球を上述した左側の範囲に送る流路であり、右レール３６Ｒが、遊技球を上述した右側の範囲に送る流路である。
【００２４】
振分装置１０から排出された遊技球は、左右対称に設けられている役物を経由して流下する。以下では、左側の役物等を中心に説明するが、右側も同様の構成である。
左排出口３５Ｌから振分装置１０の外部に排出された遊技球は、左レール３６Ｌにより遊技領域１１０の左側の範囲に進み、風車１３１に向かう。風車１３１は、回転軸１３１ａを中心に回転する。また風車１３１には９個の溝１３１ｂが設けられており、遊技球はそのいずれかに収まり、風車１３１の回転に伴って移動する。
【００２５】
９個の溝１３１ｂのうちの８個の溝１３１ｂに入った遊技球は、風車１３１よりも外側（左側）において上下に伸びる排出流路１３２に排出される。排出流路１３２に排出された遊技球は、一部を除き、遊技領域１１０を流下して遊技領域１１０の下端に設けられるアウト口１３３に入り、遊技領域１１０（遊技盤１０９）から排出される。
【００２６】
一方、９個の溝１３１ｂのうちの上述した８個を除く１つの溝１３１ｂは、遊技球を、風車１３１の直下に配置されるシーソー１３４に落下させる。シーソー１３４は常時左右に揺動しており、遊技球を、遊技領域１１０の中央側のレール１３５、及び、排出流路１３２のいずれかに、一定の割合で振り分ける。レール１３５に振り分けられた遊技球は、遊技領域１１０の中央に移動し、クルーン１３６に落ちる。
【００２７】
クルーン１３６には図示しない複数の貫通穴が形成されており、その中の所定の穴に遊技球が落下したときに限り、その下方に設けられている、前後方向に延びるレール１３７の奥側に落ちる。
【００２８】
排出流路１３２に沿う位置には、第１羽根部材１４１が設けられている。第１羽根部材１４１は、通常は排出流路１３２における遊技球の流下を妨げない位置にあるが、短い期間のみ、遊技球の流下を妨げる位置に移動する。このときに遊技球が第１羽根部材１４１に接触すると、排出流路１３２から抜けて遊技領域１１０の中央側に進み、レール１４２を通ってクルーン１３６に入る。
【００２９】
また、排出流路１３２に沿う位置であって、第１羽根部材１４１よりも下流側の位置に第２羽根部材１４３が設けられている。この第２羽根部材１４３も通常は遊技球の流下を妨げないように位置しているが、短い期間のみ、遊技球の流下を妨げる位置に移動する。このときに遊技球が第２羽根部材１４３に接触すると、排出流路１３２から抜けて遊技領域１１０の中央側に進み、レール１４４を通って、レール１３７の奥側に落ちる。
【００３０】
レール１３７は前方が低くなるように傾斜しているため、レール１３７の奥側に落ちた遊技球は、レール１３７上を後方から前方に向かって移動する。レール１３７の両サイドには回転障害物１３８が設けられている。これらは回転しており、接触した遊技球をレール１３７から落下させる。回転障害物１３８に接触しなかった遊技球のみが、入賞装置１１２に入る。一方、落下した遊技球は、アウト口１３３に入る。
【００３１】
入賞装置１１２に入賞した場合、即ち入賞装置１１２に遊技球が入った場合には、大当たり遊技が開始される。大当たり遊技が開始されると、振分装置１０の内部に設けられる大入賞装置が開放される。なお本実施形態では入賞装置１１２に入賞した場合には大当たりが確定するように構成されているが、入賞装置１１２に入賞した場合には抽選が行われ、当たりであれば大当たり遊技が開始されるように構成されていてもよい。
【００３２】
［１−２．振分装置の構成］
まず本発明における振分装置の概念を説明する。
振分装置は、遊技領域に配置され、遊技球を複数の流路のうちのいずれかに振り分ける装置である。流路とは必ずしも壁面等で囲まれたものでなくてもよく、振分装置に振り分けられた結果、遊技球の移動先が異なるものとなればよい。
【００３３】
振分装置は、当該振分装置に進入した遊技球を、所定の割合で、或いは、所定の条件を満たしたか否かに基づいて、複数の流路のいずれかに振り分ける。
所定の割合による振り分けとは、遊技球が複数の流路それぞれに進む確率が予め定められている振り分けを意味する。具体的な構成は特に限定されないが、例えば、遊技者にとって有利な流路と不利な流路が存在する場合に、有利な流路へ遊技球が進む割合が１／５、１／１０というように予め定まっている構成や、一定の時間ごとに遊技球が進む流路が変化する構成などが挙げられる。
【００３４】
また、所定の条件による振り分けとは、例えば、一定の条件を満たした場合にのみ、一方の流路に遊技球が流れ、その他の場合には他の流路に遊技球が流れるように振り分けることが挙げられる。一定の条件とは、例えば、遊技球が所定の位置を通過したことが例示される。
【００３５】
パチンコ機は、放出手段（ハンドル１０４ａ及び発射装置１０４ｃ）によって遊技領域に放出された遊技球が、最初に振分装置に進入するように構成されている。ここでいう、「最初に振分装置に進入」とは、（ｉ）遊技球が原則、振分装置に入ること、（ｉｉ）振分装置よりも上流に、遊技球が回収されたり、遊技盤から排出されたりする機構が存在しないこと、の２つの条件を満たす場合とすることができる。
【００３６】
まず（ｉ）について説明する。少なくとも、パチンコ機が通常の動作モードにあり、遊技者が通常の操作により遊技球を発射した場合に、大部分の遊技球が振分装置に入るように構成されていればよい。
【００３７】
通常の操作とは、例えば、入賞装置への遊技球の入賞を狙うことを目的とするパチンコ機において、遊技球が入賞装置に入賞するために必要な操作を遊技者が行うこととすることができる。通常の動作モードとは、例えば、遊技者にとって有利な状態ではない遊技実行状態となるモードである。
【００３８】
一方で、通常の動作モードとは異なる動作モードにおいて必要な操作を遊技者が行っているときには、遊技球が振分装置に進入しない構成であってもよい。例えば、大当たり遊技中はいわゆる右打ちを行うが、その場合には通常の入賞装置への入賞が困難であるように構成されたパチンコ機において、右打ち操作をした場合には、遊技球が振分装置に進入しなくとも、上記（ｉ）の条件を満たさないことにはならない。
【００３９】
以上のように、普通に遊技を行うときに、大部分の遊技球が振分装置に入るならば、上記（ｉ）の条件が満たされることとなる。具体的な条件については、「普通に遊技を行うときに、大部分の遊技球が振分装置に入る」という条件を満たす範囲で変更可能である。
【００４０】
次に、（ｉｉ）を満たす具体例としては、振分装置より上流に遊技球が回収される入賞装置が存在しないことが例示される。一方で、例えばスルーチャッカのように、遊技球の通過による特典があるとしても、通過後そのまま遊技球が遊技領域を流下する装置であれば、（ｉｉ）の条件を満たすか否かの判断において無視することとしてもよい。
【００４１】
なお、（ｉ）（ｉｉ）の条件は、必ずしも両方を満たす必要はなく、いずれか一方のみを満たすものであってもよい。例えば、入賞装置などが振分装置よりも上流に設けられていてもよいし、遊技球の大部分が振分装置に入る構成でなくともよい。
【００４２】
パチンコ機には、少なくとも上述したような振分装置が設けられていれば、それ以外にも１つ以上の振分装置が設けられていてもよい。
次に、本実施形態で示す振分装置１０について説明する。
【００４３】
振分装置１０は、遊技球が進入する開口１１が形成されている。上述したように、遊技球がアウト口１２２へ流れるためにはガイドレール１１１の上端は越えるもののブロック１２１ａは超えない速度で発射する必要がある。また、遊技球の発射速度が大きい場合は、開口１１よりも右側にある壁面１２４に接触して開口１１に案内される。よって、遊技者が入賞装置１１２を狙って遊技球を振分装置１０へ進入させようとする限り（即ち、大当たりを狙う通常の遊技を行う限り）、遊技者が発射した遊技球の大部分は開口１１から振分装置１０の内部に進入する。
【００４４】
図２を用いて振分装置１０の具体的な構成を説明する。振分装置１０は、遊技領域１１０の左右中央に配置されている。また、振分装置１０は、遊技領域１１０における上部側の範囲に配置されている。ここでいう上部側とは、遊技領域１１０の上下方向の中心よりも上側という意味である。振分装置１０が、少なくとも前方から見て大部分が上部側に位置していればよい。
【００４５】
開口１１から進入した遊技球は、奥側（後方側）が下がった傾斜面１２を転がり奥に進む。傾斜面１２には複数の突起１３が形成されており、遊技球はこれに衝突しながら進む。奥部には複数の貫通穴１４が形成されており、遊技球はそのいずれかの貫通穴１４から落下する。
【００４６】
貫通穴１４の下方には、左右に延びる回転軸２２を中心として回転可能に構成された左右に広がる回転板２１が設けられている。貫通穴１４から落下した遊技球は、この回転板２１に当接する。通常の動作モードのとき、言い換えると大当たり遊技の実行時以外は、回転板２１は前方が下になるように傾斜した状態となっている。そのため貫通穴１４から落下して回転板２１に当接した遊技球は前方に移動し、流路２４に入る。流路２４は、前端部分が遊技球１つのみ進入可能な狭路２５として形成されているため、遊技球は１つずつ狭路２５に進入する。
【００４７】
狭路２５の下流には、回転体３１が設けられている。回転体３１は、上方から流下した遊技球を左右に交互に振り分ける装置である。その機構や動作自体は公知の構成を採用することができるため、詳細な説明を割愛する。
【００４８】
この回転体３１により左右に振り分けられた遊技球は、左右方向に並ぶ左側板３２、中央板３３、右側板３４のうち、左側板３２及び中央板３３により形成される左排出口３５Ｌと、中央板３３及び右側板３４により形成される右排出口３５Ｒと、のいずれかから排出される。
【００４９】
なお、大当たり遊技時には、図３に示されるように、回転板２１がステップモータ２３により回転し、後方が下になるように傾斜した状態となる。回転板２１の奥側には図示しない大入賞装置が設けられている。つまり図３に示されるように回転板２１が移動することにより、大入賞装置が開放される。大入賞装置に入賞すると、遊技者は多くの賞球を得ることができる。
【００５０】
このように、振分装置１０は、２段階の振り分けが可能に構成されている。回転板２１による振分は、遊技領域１１０の前面側ではない、後方の領域で実行される。
［１−３．効果］
以上詳述した実施形態によれば、以下の効果が得られる。
【００５１】
（１ａ）パチンコ機１０１では、遊技者が通常の遊技操作を行えば、遊技球は振分装置１０に入り、左排出口３５Ｌ又は右排出口３５Ｒから排出されることとなる。そのため、遊技者は振分装置１０による振り分けの結果に注目することとなり、振分装置１０による興趣を十分に得ることができる。
【００５２】
（１ｂ）パチンコ機１０１では、大当たり遊技時において、振分装置１０を大入賞装置の入賞口の開閉機構として機能させることができる。よって、大入賞装置を別途設ける構成と比較して、遊技領域をシンプルな構成にしたり、別の役物等を設けたりすることができるようになる。
【００５３】
（１ｃ）振分装置１０は、遊技領域１１０の左右中央であり、かつ、遊技領域１１０の上部側の範囲に配置されているため、振分装置１０が遊技者の目につきやすく、遊技者に与える振り分けによる興趣を向上させることができる。
【００５４】
（１ｄ）振分装置１０は、遊技球を、遊技領域１１０の左側の範囲と右側の範囲とに送るように構成されているため、遊技領域１１０を広く使って遊技球による落下を行わせることができる。また振分装置１０は上述した位置に配置されているため、より高い位置から広く遊技領域１１０を使用することができる。
【００５５】
［２．他の実施形態］
以上、本発明の実施形態について説明したが、本発明は上述の実施形態に限定されることなく、種々変形して実施することができる。
【００５６】
（２ａ）上記実施形態では、振分装置１０を本発明の振分装置の一例として説明したが、これに限定されるものではなく、さまざまな構成の振分装置を用いることができる。例えば、振分装置は、回転板２１による振り分け機構を持たず、回転体３１による振り分けのみを実行する振分装置であってもよいし、回転板２１による振り分けのみを実行する振分装置であってもよい。また、振分装置は、複数の貫通穴の形成されたクルーン１３６のように、落下する貫通穴によって行き先が変化する構成であってもよい。少なくとも、全体として、複数の流路のいずれかに遊技球を送るように構成されていればよい。
【００５７】
また振分装置１０の配置される位置は、実施形態に示した位置に限られない。例えば振分装置１０は遊技領域１１０の左右いずれかに寄って配置されていてもよいし、遊技領域１１０の下方に配置されていてもよい。
【００５８】
また、上記実施形態では、回転板２１の回転位置によって、大入賞装置への入賞が実現される構成を例示したが、大入賞装置に代えて、遊技球を排出するアウト口が設けられていてもよい。このように構成されていれば、振分装置に進入した遊技球の一部が遊技領域に戻らずに排出される。そのため、遊技領域に戻る遊技球の数を制限でき、戻った遊技球への遊技者の注目を集中させることができる。また、大入賞装置に代えて、通常の入賞装置が設けられていてもよい。
【００５９】
（２ｂ）上記実施形態では、放出手段として、ハンドル１０４ａと、その操作に応じて下方から遊技球を遊技領域に発射する発射装置１０４ｃと、を含む構成を例示したが、これら以外の装置を放出手段として用いてもよい。例えば、遊技領域の上方から遊技球を落下させることにより遊技領域に遊技球を放出する装置を用いてもよい。
【００６０】
（２ｃ）振分装置１０は、左レール３６Ｌ、右レール３６Ｒに遊技球を乗せることにより遊技領域１１０の左右に遊技球を移動させる構成を例示したが、遊技球が最終的に遊技領域１１０における左側の範囲と右側の範囲とに移動するならば、その具体的な構成は特に限定されない。例えば、左レール３６Ｌ及び右レール３６Ｒは、振分装置１０を排出されてから、さらに別の役物を通過した遊技球が乗せられるように構成されていてもよい。
【００６１】
なお遊技領域１１０における左側の範囲及び右側の範囲とは、遊技領域１１０の左右中央を基準として左右に分けたときの左側の領域及び右側の領域と言い換えることができる。遊技領域１１０の左右中央は、窓１０７が左右対称であればその左右中央としてもよい。また、遊技球が発射されて遊技領域における最上部に位置した後、即ち遊技球の落下が始まった後において、遊技球が移動しうる範囲の左端と右端の中央を、上述した左右中央としてもよい。もちろん、遊技領域の左右中央を明確に定める必要はない。遊技領域の右側と左側の範囲として通常判断されうる範囲に振り分けが実行されればよい。
【００６２】
（２ｄ）振分装置１０及びその他の役物等の構成や配置など、上記実施形態の構成に限定されず、さまざまな態様に変更して実施することができる。上記実施形態では遊技領域１１０に遊技球と当接する遊技釘を配置しない構成を例示しているが、遊技釘が設けられていてもよい。
【符号の説明】
【００６３】
１０…振分装置、１１…開口、１２…傾斜面、１３…突起、１４…貫通穴、２１…回転板、２２…回転軸、２３…ステップモータ、２４…流路、２５…狭路、３１…回転体、３２…左側板、３３…中央板、３４…右側板、３５Ｌ…左排出口、３５Ｒ…右排出口、３６Ｌ…左レール、３６Ｒ…右レール、１０１…パチンコ機、１０２…盤面窓枠、１０３…皿扉、１０３ａ…演出ボタン、１０４…下部ユニット、１０４ａ…ハンドル、１０４ｂ…灰皿、１０７…窓、１０７ａ…ガラス板、１０８…電飾、１０９…遊技盤、１１０…遊技領域、１１１…ガイドレール、１１２…入賞装置、１２１…ブロック、１２１ａ…ブロック、１２２…アウト口、１２４…壁面、１３１…風車、１３１ａ…回転軸、１３１ｂ…溝、１３２…排出流路、１３３…アウト口、１３４…シーソー、１３５…レール、１３６…クルーン、１３７…レール、１３８…回転障害物、１４１…第１羽根部材、１４２…レール、１４３…第２羽根部材、１４４…レール。
【図１】
2018192132.tif 000003
【図２】
2018192132.tif 000004
【図３】
2018192132.tif 000005